(57)【要約】【課題】パネルをスクリーンの前方に固定する固定装置を提供する。【解決手段】本発明の固定装置は押圧部、位置決め板、二つの弾性押圧部及び二つのフックを含む。押圧部は、パネルをスクリーンの前方に押圧し、スクリーンはサポートフレームに設置され、位置決め板は押圧部と接続され、弾性押圧部とフックは位置決め板に設けられる。弾性押圧部、フック及び位置決め板により固定装置をサポートフレームに設置することでパネルをスクリーンの前方に固定する。また、弾性押圧部とフックは弾性を有するので、組み立て／外し作業が容易に行える。【選択図】図３
2007047741.tif 000002
【特許請求の範囲】
【請求項１】
サポートフレームに設置されるスクリーンの前方にパネルを固定する固定装置であって、
位置決め板と、
前記位置決め板と接続され、前記パネルを押圧するための押圧部と、
前記位置決め板の両側に対称に設けられる二つの弾性押圧部と、
前記位置決め板の下方に設けられる少なくとも一つのフックと、
を含み、
前記弾性押圧部と前記位置決め板との間には隙間が存在し、前記サポートフレームは当該隙間に挟持され、
前記フックは湾曲部からなる係止爪を有し、当該係止爪は前記サポートフレームの下縁を係止する、
固定装置。
【請求項２】
前記位置決め板の中部位置には、弾性折り部がさらに含まれる、
請求項１に記載の固定装置。
【請求項３】
前記位置決め板には、少なくとも一つの位置決めボルトがさらに含まれ、当該位置決めボルトは、前記サポートフレームに設けられる溝または貫通穴に係合される、
請求項１に記載の固定装置。
【請求項４】
前記フックと前記位置決め板との接続部分には、割れ目がさらに含まれる、
請求項１に記載の固定装置。
【請求項５】
前記パネルは、保護パネル、タッチパネルまたは偏光板を含む、
請求項１に記載の固定装置。
【請求項６】
前記弾性押圧部は、前記位置決め板から延伸される延伸部分と、当該延伸部分と接続される接続部分とを有し、前記隙間は、当該接続部分と前記位置決め板との間に設けられる、
請求項１に記載の固定装置。
【発明の詳細な説明】
【技術分野】
【０００１】
本発明は、固定装置に関し、特に、パネルをスクリーンの前方に固定する固定装置に関する。
【背景技術】
【０００２】
一般的に、スクリーンの前方には、スクリーンを保護する機能を有する保護パネル、または、タッチ方式でコマンドを入力する機能を有するタッチパネルが設置される。図１は、このようなパネルの設置方法を示す図である。図１に示すように、スクリーン１００がサポートフレーム１１０に固定され、パネル１２０が粘着剤１３０によりスクリーンの前方に固定され、保護機能を、または、タッチ方式でコマンドを入力する機能を提供する。しかし、粘着剤１３０は、繰り返し使用されることができず、粘着部位によって粘着効果も異なるので、作業する際にミスが生じ、修正を行う必要となった場合、破壊方式で粘着剤１３０を除去しなければならない。従って、粘着剤１３０を完全に除去できない可能性があり、またスクリーン１００を傷付ける可能性もある。
【０００３】
図２は、パネルを固定する従来の他の方法を示す図である。図２に示すように、パネル１２０は、止め板１４０によりスクリーン１００の前方に固定される。このような固定方法には、サポートフレーム１１０にサポート部品１５０を増設し、且つ、固定部品１６０（例えば、ボルト或いはリベット）をあわせて用いることにより止め板１４０を固定する必要がある。例えば、米国特許第６６００５２６号には、ボルトによる組み立ての設計が開示されている。しかし、このような固定方法は、固定部品１６０を外す／組み立てるのに時間がかかり、且つ増設されたサポート部品１５０により体積が増え、製品の薄型化を達成できず、生産コストも高い。
【発明の開示】
【発明が解決しようとする課題】
【０００４】
本発明の目的は、パネルをスクリーンの前方に固定する固定装置を提供することにある。
【０００５】
本発明の他の目的は、所望の設置位置に精確に設置することができる固定装置を提供することにある。
【課題を解決するための手段】
【０００６】
前述の目的を達成するために、本発明の固定装置は、押圧部、位置決め板、二つの弾性押圧部及び二つのフックを含む。また、スクリーンはサポートフレームに設置される。押圧部と位置決め板とは、互いに接続されてL型構造に形成され、押圧部はパネルを押圧し、位置決め板はサポートフレームの片側に設置され、弾性押圧部とフックとは位置決め板に対称に設けられる。
【０００７】
また、前述の他の目的を達成するために、サポートフレームには溝または貫通穴が設けられ、位置決め板には、この溝または貫通穴に進入できる位置決めボルトが設けられる。よって、本発明の固定装置は、サポートフレームの所定位置に精確に設置することができる。
【発明の効果】
【０００８】
本発明は、パネルをスクリーンの前方に固定する固定装置を提供する。
【発明を実施するための最良の形態】
【０００９】
次に、添付した図面を参照しながら、本発明の好適な実施形態を詳細に説明する。
【００１０】
図３は、本発明の好適な実施形態に係る固定装置の斜視図である。図３に示すように、本発明の固定装置は、押圧部１０、位置決め板２０、二つの弾性押圧部３０と二つのフック４０を含む。
【００１１】
図４は、本発明の好適な実施形態に係る固定装置の構造図である。図４に示すように、パネル１は、スクリーン２の前方に固定され、スクリーン２は、サポートフレーム３に設けられる。本実施形態において、パネル１は、スクリーン２の表面を保護するための保護パネルであり、その材料はガラス或いはアクリル等の透明材料である。他の実施形態において、パネル１は、タッチ方式でコマンドを入力する機能を有するタッチパネルであってもよく、偏光板（Polarizing  Plate）であっても良い。
【００１２】
押圧部１０は、位置決め板２０と接続され、パネル１を押す。位置決め板２０は、サポートフレーム３の片側に設けられる。本実施形態において、押圧部１０と位置決め板２０とは、L型構造に形成される。
【００１３】
弾性押圧部３０は、位置決め板２０の両側に対称に設置され、位置決め板２０から延伸される延伸部分３１と、この延伸部分３１と接続される接続部分３２とを含み、且つ延伸部分３１は、接続部３２に弾性を提供する。接続部分３２と位置決め板２０との間には、間隙４が存在する。本実施形態において、隙間４の幅は、サポートフレーム３の厚さより少し小さいので、弾性押圧部３０は、サポートフレーム３を隙間４に挟持することができる。また、接続部分３２は、サポートフレーム３による弾性回復力を有し、この弾性回復力は、固定装置を外す助力となる。
【００１４】
位置決め板２０の下方に対称に設置されるフック４０は、係止爪４１を有し、且つ係止爪４１は、サポートフレームの下縁を係止する。従って、固定装置は、位置決め板２０、弾性押圧部３０及び係止爪４１によりサポートフレーム３に固定され、パネル１はスクリーン２の前方に設置されることができる。また、サポートフレーム３は弾性押圧部３０により隙間４に挟持されるので、固定装置は脱落しにくくなる。
【００１５】
また、本実施形態において、フック４０と位置決め板２０との接続部分には、割れ目４２がさらに含まれる。固定装置は位置決め板２０の下方から外される際に、割れ目４２はフック４０に弾性を提供し、係止爪４１は変形しにくくなるので、固定装置の固定効果に影響を与えない。
【００１６】
また、本実施形態に係る固定装置には、組立て位置を精確に決める仕組みがさらに含まれる。具体的には、サポートフレーム３に溝または貫通穴５が設置され、また、位置決め板２０に溝または貫通穴５に進入できる位置決めボルト２１が設置される。よって、固定装置はサポートフレーム２の所定の位置に精確に設置されることができる。なお、溝または貫通穴５の設置位置及び数は、実際に応じて適当に変更されても良い。
【００１７】
本実施形態において、固定装置は、位置決め板２０、弾性押圧部３０及び係止爪４１を用いることによりサポートフレームに固定され、さらに、パネル１は、押圧部１０によりスクリーン２の前方に固定されるので、全体の構造は簡単であり、スクリーン２或いはサポートフレーム３の元の設計を修正しなくても、または、ほかの部品を増設しなくても、モジュール化の要求を満たすことができる。また、弾性押圧部３０とフック４０は、弾性を有するので、固定装置の組み立て／外し操作が容易であり、さらに、繰り返し利用されることができるので、コストが低い。
【００１８】
図５は、本発明の他の好適な実施形態に係る固定装置の斜視図である。図５に示すように、位置決め板２０の中央部には、さらに弾性折り部２２が固定装置を外すための必要な弾性変形を提供できるように設けられる。固定装置は位置決め板２０の下方から外される際に、弾性折り部２２は、生成された位置決め板の変形を吸収するので、押圧部１０は変形しにくくなり、固定装置の耐久性が向上される。また、サポートフレーム３の厚みが厚くなった場合には、弾性折り部２２を設置することにより、押圧部１０の幅が小さくしてもよく、且つ押圧部１０がスクリーン２に接近しやすくなる。
【００１９】
ゆえに、本発明の固定装置は、押圧部１０、位置決め板２０、弾性押圧部３０及びフック４０の組み合わせによりパネル１をクリーン２の前方に固定することができ、また、固定装置の組み立て／外し作業が容易に行える。
【００２０】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２１】
【図１】パネルを設置する従来の方法を示す図である。
【図２】パネルを設置する従来の他の方法を示す図である。
【図３】本発明の好適な実施形態に係る固定装置の斜視図である。
【図４】本発明の好適な実施形態に係る固定装置の構造図である。
【図５】本発明の他の好適な実施形態に係る固定装置の斜視図である。
【符号の説明】
【００２２】
１  パネル
２  スクリーン
３  サポートフレーム
４  隙間
５  溝または貫通穴
１０  押圧部
２０  位置決め板
２１  位置決めボルト
２２  折り部
３０  弾性押圧部
３１  延伸部分
３２  接続部分
４０  フック
４１  係止爪
４２  割れ目
【図１】
2007047741.tif 000003
【図２】
2007047741.tif 000004
【図３】
2007047741.tif 000005
【図４】
2007047741.tif 000006
【図５】
2007047741.tif 000007